(57)【要約】【課題】  一対の放物面鏡によって形成される内部空間にある対象物を外部空間に立体像として表示すると共に、内部空間にある対象物を外部からも観賞することができる立体像表示装置を提供する。【解決手段】  中央部に光を透過させる透孔部２３を有する第１の放物面鏡２と、第１の放物面鏡２に対向させた状態で配置される第２の放物面鏡３と、を備え、第１の放物面鏡２及び第２の放物面鏡３によって形成される内部空間Ｓ１の所定位置にある対象物Ｐからの光が第１の放物面鏡２と第２の放物面鏡間で３反射して形成される対象物Ｐの立体像ＰＩを透孔部２３を通じて外部空間Ｓ２に表示する立体像表示装置であって、第１の放物面鏡２及び第２の放物面鏡３は、それぞれ透明樹脂によって放物面状に成形され、それぞれの反射面には、ハーフ蒸着が施されることにより鏡面が形成されている。【選択図】図３
0003197496.tif 000002
【実用新案登録請求の範囲】
【請求項１】
中央部に光を透過させる透孔部を有する第１の放物面鏡と、前記第１の放物面鏡に対向させた状態で配置される第２の放物面鏡と、を備え、
前記第１の放物面鏡及び前記第２の放物面鏡によって形成される内部空間の所定位置にある対象物からの光が前記第１の放物面鏡と前記第２の放物面鏡間で反射して形成される前記対象物の立体像を前記透孔部を通じて外部空間に表示する立体像表示装置であって、
前記第１の放物面鏡及び前記第２の放物面鏡は、それぞれ透明樹脂によって放物面状に成形され、それぞれの反射面には、ハーフ蒸着が施されることにより鏡面が形成されていることを特徴とする立体像表示装置。
【請求項２】
前記ハーフ蒸着が施されている鏡面の反射率は、４０％以上６０％以下であることを特徴とする請求項１に記載の立体像表示装置。
【請求項３】
前記内部空間には、水が貯留されており、前記対象物として前記水中で生息する水生生物が収容されていることを特徴とする請求項１又は２に記載の立体像表示装置。
【請求項４】
前記水は、前記内部空間のうち、前記第２の放物面鏡側にのみ貯留されており、
前記第２の放物面鏡は、外側の鏡面に前記ハーフ蒸着が施されていることを特徴とする請求項３に記載の立体像表示装置。
【考案の詳細な説明】
【技術分野】
【０００１】
本考案は、対向させて配置した一対の放物面鏡によって形成される内部空間内に配置される対象物を外部空間に浮き上がって見える立体像として表示する立体像表示装置に関する。
【背景技術】
【０００２】
従来から、対向させて配置した一対の放物面鏡によって形成される内部空間に対象物を配置し、この対象物からの光が両放物面鏡間で反射して形成される当該対象物の立体像を一方の放物面鏡に形成されている透孔部を通じて外部空間に表示する様々な立体像表示装置が提案されている（例えば、特許文献１及び特許文献２参照）。
【０００３】
特許文献１の立体像表示装置では、表示する立体像に明暗のむらが現れないように、一対の放物面鏡の接合部近傍の内周に沿って照明装置を配置することが開示されている。また、特許文献２の立体像表示装置では、様々な大きさの対象物の立体像を最適位置に表示するために、一対の放物面鏡間の間隔を調節するための間隔調節手段を有することが開示されています。
【先行技術文献】
【特許文献】
【０００４】
【特許文献１】特開２００２−３３３５９８号公報
【特許文献２】特開平１１−２８１９１７号公報
【考案の概要】
【考案が解決しようとする課題】
【０００５】
しかしながら、従来の特許文献１や特許文献２の立体像表示装置では、例えば、熱可塑性の合成樹脂によって放物面状に成形した後、内側にアルミ蒸着等を施すことによって鏡面を形成している。そのため、観賞者は、外部空間に浮き上がって表示される対象物の立体像は観賞することができるが、一対の放物面鏡によって形成される内部空間に配置されている実際の対象物を外部からは観賞することができない。
【０００６】
本考案は、上記のような課題に鑑みてなされたものであって、一対の放物面鏡によって形成される内部空間にある対象物を外部空間に立体像として表示すると共に、内部空間にある対象物を外部からも観賞することができる立体像表示装置を提供することを目的とする。
【課題を解決するための手段】
【０００７】
上記の目的を達成するために本考案に係る立体像表示装置は、中央部に光を透過させる透孔部を有する第１の放物面鏡と、前記第１の放物面鏡に対向させた状態で配置される第２の放物面鏡と、を備え、前記第１の放物面鏡及び前記第２の放物面鏡によって形成される内部空間の所定位置にある対象物からの光が前記第１の放物面鏡と前記第２の放物面鏡間で反射して形成される前記対象物の立体像を前記透孔部を通じて外部空間に表示する立体像表示装置であって、前記第１の放物面鏡及び前記第２の放物面鏡は、それぞれ透明樹脂によって放物面状に成形され、それぞれの反射面には、ハーフ蒸着が施されることにより鏡面が形成されていることを特徴としている。
【０００８】
また、本考案に係る立体像表示装置は、前記ハーフ蒸着が施されている鏡面の反射率が、４０％以上６０％以下であることを特徴としている。
【０００９】
また、本考案に係る立体像表示装置は、前記内部空間には、水が貯留されており、前記対象物として前記水中で生息する水生生物が収容されていることを特徴としている。
【００１０】
また、本考案に係る立体像表示装置は、前記水が、前記内部空間のうち、前記第２の放物面鏡側にのみ貯留されており、前記第２の放物面鏡は、外側の鏡面に前記ハーフ蒸着が施されていることを特徴としている。
【考案の効果】
【００１１】
本考案に係る立体像表示装置によれば、対象物が配置される内部空間を形成する第１の放物面鏡及び前記第２の放物面鏡は、それぞれ透明樹脂によって放物面状に成形され、それぞれの反射面には、ハーフ蒸着が施されることにより鏡面が形成されるので、対象物からの一部の光は、第１の放物面鏡と前記第２の放物面鏡間で反射し、一部の光は、第１の放物面鏡又は第２の放物面鏡を透過する。これにより、立体像表示装置では、対象物の立体像を第１の放物面鏡の透孔部を通じて外部空間に表示することができると共に、観賞者は、第１の放物面鏡又は第２の放物面鏡を通して内部空間にある対象物を外部から観賞することができる。
【００１２】
また、本考案に係る立体像表示装置によれば、ハーフ蒸着が施されている鏡面の反射率は、４０％以上６０％以下であるので、より効率良く対象物の立体像を第１の放物面鏡の透孔部を通じて外部空間に表示することができると共に、観賞者は、第１の放物面鏡又は第２の放物面鏡を通して内部空間にある対象物を外部から観賞することができる。
【００１３】
また、本考案に係る立体像表示装置によれば、内部空間には、水が貯留されており、対象物として水中で生息する水生生物が収容されているので、外部から内部空間にいる水生生物を観賞する水槽として利用することができると共に、水生生物が所定の位置にいる際には、その水生生物の立体像を透孔部を通じて外部空間に表示することができ、非常に幻想的な動きのある空間を創り出すことができる。
【００１４】
また、本考案に係る立体像表示装置によれば、水は、内部空間のうち、第２の放物面鏡側にのみ貯留されており、この第２の放物面鏡は、外側の鏡面にハーフ蒸着が施されているので、ハーフ蒸着されている外側の鏡面が貯留されている水に直接触れることを防止することができる。これにより、立体像表示装置は、内部空間に貯留されている水によって錆が発生することを抑制することができるので、水槽としての長期的な利用が可能になる。
【図面の簡単な説明】
【００１５】
【図１】本考案の第１の実施形態に係る立体像表示装置の一例を示す概略正面図である。
【図２】本考案の第１の実施形態に係る立体像表示装置の一例を示す概略平面図である。
【図３】図１におけるＡ−Ａ線断面図である。
【図４】本考案の第２の実施形態に係る立体像表示装置の一例を示す概略断面図である。
【考案を実施するための形態】
【００１６】
以下、本考案に係る立体像表示装置１について、図面を参照しつつ説明する。本考案の第１の実施形態に係る立体像表示装置１は、図１〜図３に示すように、中央部に光を透過させる透孔部２３を有する上部側放物面鏡（第１の放物面鏡）２と、上部側放物面鏡２の下方に設けられる下部側放物面鏡（第２の放物面鏡）３とを備えている。
【００１７】
上部側放物面鏡２及び下部側放物面鏡３は、図３に示すように、互いに光軸Ｘが一致するように互いの反射面を上下に対向させた状態で配置されている。この上部側放物面鏡２及び下部側放物面鏡３によって形成される内部空間Ｓ１内における下部側放物面鏡３の中央の所定の位置には、対象物Ｐが配置されている。
【００１８】
上部側放物面鏡２及び下部側放物面鏡３は、それぞれ反射面が光軸Ｘ上に原点及び焦点を有する放物線を光軸Ｘ回りに回転させて得られる放物面状に形成されている。上部側放物面鏡２及び下部側放物面鏡３は、例えば、互いに焦点距離が等しいものを用いて、それぞれの焦点位置が、対向する相手側の放物面鏡２，３が光軸Ｘと交わる位置と一致するにように配置される。
【００１９】
上部側放物面鏡２及び下部側放物面鏡３は、例えば、図１〜図３に示すように、それぞれの周縁から外側に突出するように突出片２２，３２が周方向に所定間隔あけて複数設けられている。そして、この突出片２２と突出片２３をそれぞれ対向する位置に合わせた状態で、詳しくは図示しないが、例えば、突出片２２及び突出片２３にそれぞれ設けられたボルト孔にボルトを挿入し、ナットを用いて締結することにより上部側放物面鏡２及び下部側放物面鏡３を固定することができる。尚、上部側放物面鏡２及び下部側放物面鏡３の固定の仕方は、これに限定されるものではなく、例えば、上部側放物面鏡２の周縁を下部側放物面鏡３の周縁に着脱自在に嵌め込むことができるように構成されていても良い。
【００２０】
このような上部側放物面鏡２及び下部側放物面鏡３は、それぞれ透明樹脂によって放物面状に成形されている。上部側放物面鏡２及び下部側放物面鏡３に用いられる透明樹脂としては、例えば、アクリル樹脂、ＡＢＳ（アクリルニトリルブタジエンスチレン）樹脂、ポリカーボネート樹脂、ポリスチレン樹脂、ポリプロピレン樹脂、ポリエチレン樹脂、ポリ塩化ビニル樹脂等の透明樹脂材料を用いることができる。
【００２１】
そして、この透明樹脂によって成形された上部側放物面鏡２及び下部側放物面鏡３のそれぞれの内側の反射面には、ハーフ蒸着が施されることによりハーフミラー蒸着層を有する鏡面２１、３１が形成される。上部側放物面鏡２及び下部側放物面鏡３のそれぞれの内側の反射面に施されるハーフ蒸着としては、例えば、クロム等の金属薄膜を蒸着してハーフミラー層を形成することができるが、これに限定されるものではなく、従来公知のハーフ蒸着を施すようにすれば良い。また、鏡面２１，３１の反射率としては、鏡面２１，３１に入射してくる光の一部が反射し、一部が透過するように、例えば、４０％以上６０％以下になるようにハーフ蒸着が施されていることが好ましい。
【００２２】
また、上部側放物面鏡２が光軸Ｘと交わる部分の周辺の上部側放物面鏡２の中央部には、透孔部２３が設けられている。この透孔部２３は、内部空間Ｓ１からの光が外部空間Ｓ２へと透過するように、例えば、上部側放物面鏡２の中央部を切り欠いて開口状に形成されている。尚、透孔部２３では、例えば、この開口に光を透過させるアクリル樹脂、ポリカーボネート樹脂等の有機ガラスや無機ガラス等からなる透明部材を配置するようにしても良い。
【００２３】
このように構成される立体像表示装置１では、図３に矢印で示すように、対象物Ｐから入射される光の一部は、両放物面鏡２，３間で反射されて透光部２３を通じて上部側放物面鏡２側にある焦点位置（下部側放物面鏡３の焦点）の近傍に集光されることにより、対象物Ｐの立体像ＰＩが、下部側放物面鏡３の焦点近傍の外部空間Ｓ２に浮き上がって見えるように表示される。また、対象物Ｐから入射される光の一部は、上部側放物面鏡２又は下部側放物面鏡３を透過して、外部空間Ｓ２にいる観賞者の目に届く。これにより、立体像表示装置１では、対象物Ｐの立体像ＰＩを上部側放物面鏡２の透孔部２３を通じて外部空間Ｓ２に表示することができると共に、観賞者は、上部側放物面鏡２又は下部側放物面鏡３を通して内部空間Ｓ１にある対象物Ｐを外部から直接観賞することができる。
【００２４】
また、立体像表示装置１では、例えば、上部側放物面鏡２及び下部側放物面鏡３によって形成される内部空間Ｓ１内に対象物Ｐを照らす蛍光灯やＬＥＤ等の照明装置を設けておくようにしても良い。また、立体像表示装置１は、詳しくは図示しないが、台座等の上に下部側放物面鏡３側を載置することにより安定的に展示できるようにしても良い。
【００２５】
次に、第２の実施形態に係る立体像表示装置１ａについて図４を参照しつつ説明する。尚、第１の実施形態に係る立体像表示装置１と同様の構成等については、同一の符号を付し、その詳細な説明については省略する。
【００２６】
立体像表示装置１ａは、水槽としても利用することができるものであって、図４に示すように、内部空間Ｓ１内に水Ｗが貯留されており、対象物Ｐとして水Ｗ中で生息する水生生物が収容されている。立体像表示装置１ａでは、水Ｗは内部空間Ｓ１のうち、上部側放物面鏡２には掛からないように、下部側放物面鏡３側にのみ貯留されている。
【００２７】
内部空間Ｓ１に収容される水生生物としては、例えば、観賞用の魚等を好適に用いることができるが、これに限定されるものでなく、立体像表示装置１ａの大きさ等に応じて、水Ｗ中で生息する両生類や海獣類等の他の水生生物を用いるようにしても良い。
【００２８】
この立体像表示装置１ａでは、上部側放物面鏡２は、内側の鏡面２１にハーフ蒸着が施されており、下部側放物面鏡２の外側の鏡面３１ａにハーフ蒸着が施されている。従って、立体像表示装置１ａでは、下部側放物面鏡３の鏡面３１ａが内部空間Ｓ１に貯留されている水Ｗに直接触れることを防止することができるので、水Ｗに晒されることよって錆が発生することを抑制することができる。
【００２９】
このように構成される立体像表示装置１ａでは、図４に矢印で示すように、水Ｗ中の水生生物である対象物Ｐが下部側放物面鏡３の中央の所定の位置にきた際に、対象物Ｐから入射される光の一部が上部側放物面鏡２及び下部側放物面鏡３間で反射されて透光部２３を通じて上部側放物面鏡２側にある焦点位置（下部側放物面鏡３の焦点）の近傍に集光されることにより、対象物Ｐの立体像ＰＩが、下部側放物面鏡３の焦点近傍の外部空間Ｓ２に浮き上がって見えるように表示される。また、対象物Ｐから入射される光の一部は、上部側放物面鏡２又は下部側放物面鏡３を透過して、外部空間Ｓ２にいる観賞者の目に届く。尚、立体像表示装置１ａでは、対象物Ｐからの光は水Ｗと内部空間Ｓ１内の空気との境界で屈折するので、それに対応するように内部空間Ｓ１に貯留する水Ｗの深さや上部側放物面鏡２と下部側放物面鏡３との間隔等を適宜調節すれば良い。
【００３０】
このような立体像表示装置１ａでは、対象物Ｐとして水中で生息する水生生物が収容されているので、観賞者が外部空間Ｓ２から内部空間Ｓ１にいる水生生物を観賞する水槽として利用することができると共に、水生生物が所定の位置にいる際には、その水生生物の立体像ＰＩを透孔部２３を通じて外部空間Ｓ２に表示することができ、非常に幻想的な動きのある空間を創り出すことができる。
【００３１】
尚、本考案の実施の形態は上述の形態に限るものではなく、本考案の思想の範囲を逸脱しない範囲で適宜変更することができる。
【符号の説明】
【００３２】
１、１ａ    立体像表示装置
２          上部側放物面鏡（第１の放物面鏡）
２１        鏡面
２３        透孔部
３、３ａ    下部側放物面鏡（第２の放物面鏡）
３１        鏡面
Ｐ          対象物
ＰＩ        立体像
Ｓ１        内部空間
Ｓ２        外部空間
Ｗ          水
【図１】
0003197496.tif 000003
【図２】
0003197496.tif 000004
【図３】
0003197496.tif 000005
【図４】
0003197496.tif 000006